(57)【特許請求の範囲】
【請求項１】
田植機の後部に斜設された苗載台の下部において、苗載台の幅方向における少なくとも両端を含む位置に、支持部材を苗載台から上方へ立設し、その支持部材に、板状部材で構成され苗の上部に当接可能な苗押さえ板を着脱自在に支持する苗押さえ板支持手段を設けると共に、苗押さえ板支持手段より苗載台の底板に近い位置に、棒状部材で構成され苗の上部に当接可能な苗押さえ棒を着脱自在に支持する苗押さえ棒支持手段を設けることを特徴とする田植機の苗載台。
【発明の詳細な説明】
【０００１】
【発明の属する技術分野】
本発明は、苗に当接させてその姿勢を調整する苗押さえ手段に特徴のある田植機の苗載台に関する。
【０００２】
【従来の技術】
苗載台上の苗が植付爪によって掻き取られる際、苗が後傾していると、植付爪が苗の特に上部に当たって傷つきかねない。
これを防止するために、従来の田植機の後部に斜設された苗載台では、苗載台上の苗が植付爪によって掻き取られる前の苗載台下部に、苗押さえ板を設けていた。苗押さえ板は、苗載台の幅方向に配設される板状部材で構成され、苗の上部に当接してその姿勢を調整する、すなわち、苗の後傾を防止するものである。
しかし、従来の苗押さえ板は、苗載台から上方へ立設された支持部材の一定位置に設置されていた。
そのため、一定位置に設置されることにより、苗の背丈の多様性に十分対応することが困難であると共に、板状であることにより、耐久性が十分ではなかった。
【０００３】
【発明が解決しようとする課題】
そこで、本発明は、苗の背丈の多様性に十分対応できると共に、耐久性の高い苗押さえ手段を備えた田植機の苗載台を提供することを目的とする。
【０００４】
【課題を解決するための手段】
本発明は、上記課題を達成するために、次の構成を備える。
すなわち、田植機の後部に斜設された苗載台の下部において、苗載台の幅方向における少なくとも両端を含む位置に、支持部材を苗載台から上方へ立設し、その支持部材に、板状部材で構成され苗の上部に当接可能な苗押さえ板を着脱自在に支持する苗押さえ板支持手段を設けると共に、苗押さえ板支持手段より苗載台の底板に近い位置に、棒状部材で構成され苗の上部に当接可能な苗押さえ棒を着脱自在に支持する苗押さえ棒支持手段を設ける。
【０００６】
【発明の実施の形態】
以下に、本発明の実施形態を図面に示す実施例に基づいて説明する。
図１及び２は、乗用田植機の要部の側面図及び平面図である。乗用田植機の概要は次の通りである。
作業者が搭乗する走行車体（１０）の車体フレーム（１１）には、前部にエンジン（１２）と後部にミッションケース（１３）が設けられ、ミッションケース（１３）の前方両側にフロントアクスルケース（１４）を介して水田走行用前輪（１５）が支持されるとともに、ミッションケース（１３）の後部両側にリヤアクスルケース（１６）を介して水田走行用後輪（１７）が支持されている。
エンジン（１２）とその近傍の部材はボンネット（１８）で被覆され、ミッションケース（１３）とその近傍の部材はステップ（１９）を有する車体カバー（２０）によって被覆されている。そして、車体カバー（２０）の上部に運転席（２１）が取り付けられ、その運転席（２１）の前方に操向ハンドル（２２）が設けられている。
【０００７】
走行車体（１０）の後部には、多条植え用の苗載台（３１）や複数の植付爪（３２）を具備する植付部（３０）が連らなる。この植付部（３０）は、トップリンク（３３）及びロワーリンク（３４）を含む３点昇降リンク機構を用いて、走行車体（１０）に連結されている。そして、走行車体（１０）の後部とロワーリンク（３４）との間に介設された油圧シリンダーの伸縮動作によって、昇降自在に構成されている。
また、前高後低に設置された板状の前傾式苗載台（３１）は、下部ガイドレール（３５）及び上部ガイドレール（３６）を介して、中央及び左右の植付伝動ケース（３７）に対して左右往復摺動自在に支持されている。その植付伝動ケース（３７）の下方には、中央及び左右の植付用均平フロート（３８）（３９）が、植付深さ調節部材を介して支持されている。植付部（３０）を降下させて、このフロート（３８）（３９）を着地させることにより、苗載台（３１）の上の苗マットから取り出す苗の植付深さを設定するように構成している。
【０００８】
図３及び４は、苗載台（３１）を示す背面図及び側面図である。
苗載台上の苗が植付爪によって掻き取られる前の位置となる苗載台（３１）の下部のうち、苗載台（３１）の幅方向における両端に、支持部材（４０）が苗載台（３１）から上方へ立設されている。
支持部材（４０）には、支持部材（４０）と同様に苗載台（３１）から上方へ立設する中空の筒体（４１）並びに平板状の板体（４５）が付設される。
筒体（４１）には、苗載台（３１）の幅方向に開口した軸受け部を備えた接続部材（４２）が、ナット（４１ａ）によって取り付けられている。その接続部材（４２）の軸受け部には、棒状の支柱（４３）が、苗載台（３１）の幅方向に架設されている。そして、その支柱（４３）には、苗載台（３１）の上部に向かって延伸した棒状の苗マット押さえ（４４）が、複数並設されている。苗載台（３１）に載置された苗マットは、この苗マット押さえ（４４）によって押圧されて、浮き上がりが防止されている。
【０００９】
一方、板体（４５）には、断面が略Ｌ字形で細長い支板（４６）が、ナット（４５ａ）によって取り付けられ、苗載台（３１）の幅方向に架設されている。そして、その支板（４６）には、苗載台（３１）の下端に向かって延伸した棒状のサブ苗マット押さえ（４７）が、複数並設されている。このサブ苗マット押さえ（４７）は、植付爪によって掻き取られる直前の苗マットを押圧して、特に掻き取り時の浮き上がりを防止するものである。
【００１０】
支持部材（４０）には、苗載台の底板（３１ａ）に対して遠近する方向に、複数の孔（４０ａ）（４０ｂ）（４０ｃ）が並設されている。これらは、後述のように、苗押さえ板や苗押さえ棒を支持する苗押さえ板支持手段や苗押さえ棒支持手段として機能するものである。
最上部の孔（４０ａ）には、棒状の支軸（５０）が挿通されて、苗載台（３１）の幅方向に架設されている。その支軸（５０）には、苗載台（３１）の幅方向に延伸した板状の部材で構成された苗押さえ板（５１）が、その筒部（５１ａ）を嵌められて取り付けられている。
植付爪によって掻き取られる直前の苗は、その上部の茎葉部分が、この苗押さえ板（５１）に当接することによって、前傾姿勢に調整される。これによって、植付爪が苗に当たって傷つけることが防止されている。
この苗押さえ板（５１）は、その支軸（５０）を回転させることで、苗載台の底板（３１ａ）との間隔を変え、苗の背丈の多様性に対して適宜対応できるように構成している。
【００１１】
また、苗押さえ板（５１）は、支軸（５０）を孔（４０ａ）から外すことで、容易に取り外すことができる。
苗押さえ板（５１）を用いない場合は、代わりに苗押さえ棒を次のように設置する。
苗押さえ板支持手段としての孔（４０ａ）の下部には、苗押さえ棒支持手段として複数の孔（４０ｂ）（４０ｃ）が、支持部材（４０）に設けられている。これらのいずれかの孔（４０ｂ）（４０ｃ）には、図示しない棒状部材で構成される苗押さえ棒が着脱自在に挿通される。
植付爪によって掻き取られる直前の苗は、その上部の茎葉部分が、この苗押さえ棒に当接することによって、前傾姿勢に調整され、植付爪が当たって傷つけられることが防止される。
苗押さえ棒は、その設置位置を孔（４０ｂ）か孔（４０ｃ）かに変えることで、苗載台の底板（３１ａ）との間隔が調整される。そのため、苗の背丈の多様性に対して十分対応することができる共に、棒状部材であるため、板状部材に比べて高い耐久性が得られる。
【００１２】
ここで、支持部材（４０）に設けられる複数の孔（４０ａ）（４０ｂ）（４０ｃ）の形状を全て同一にすると共に、苗押さえ板（５１）の支軸（５０）と苗押さえ棒の各端部の径を同一にしてもよい。すると、苗押さえ板（５１）と苗押さえ棒の選択及び設置位置の調整に幅をもたせられると共に、構成の簡素化によって経費の削減が図られる。
【００１３】
ところで、図示の孔（４０ａ）（４０ｂ）（４０ｃ）は、苗載台の底板（３１ａ）に対して略垂直に並んでいる。他方、苗が植付爪によって掻き取られる位置の苗取出板（６０）は、苗載台の底板（３１ａ）に対して垂直から傾斜している。
そのため、孔（４０ａ）（４０ｂ）（４０ｃ）の選択を変えると、苗を押さえる高さの他に、苗を押さえる押圧力の向きも変わる。よって、苗を押さえる向きも可変にすることで、苗の背丈などの多様性に更に良好に対応することができる。
なお、支持部材（４０）に設けるこのような孔は、上記のような点列に限らず、格子状など２次元的に配列して、苗の多様性に対応させてもよい。
【００１４】
図５は、支持部材の別実施例を示す側面図である。
この支持部材（４０’）では、苗押さえ板（５１）の支軸（５０）や苗押さえ棒（５２）を挿通させる孔が、長孔（４０ｄ）の成形されている。
苗押さえ棒（５２）は、この長孔（４０ｄ）の適宜位置で、ナット（５３）などの固定手段によって支持部材（４０’）に固定される。この長孔（４０ｄ）によると、苗押さえ板（５１）の支軸（５０）や苗押さえ棒（５２）の設置位置の微調整が可能になる利点がある。
【００１５】
【発明の効果】
本発明は、以上の構成を備えることによって次の効果を備える。
請求項１に記載の田植機の苗載台によると、板状部材で構成され苗の上部に当接可能な苗押さえ板が、着脱自在に苗載台下部に架設されると共に、それより苗載台の底板に近い位置に、棒状部材で構成され苗の上部に当接可能な苗押さえ棒が着脱自在に架設されるので、苗押さえ板と苗押さえ棒の選択及び設置位置の調整に幅がもてるので、苗の背丈の多様性に十分対応できると共に、苗押さえ手段の耐久性向上にも寄与する。
【図面の簡単な説明】
【図１】乗用田植機の要部の側面図
【図２】同、平面図
【図３】苗載台を示す背面図
【図４】同、側面図
【図５】支持部材の別実施例を示す側面図
【符号の説明】
１０    走行車体
１１    車体フレーム
１２    エンジン
１３    ミッションケース
１４    フロントアクスルケース
１５    前輪
１６    リヤアクスルケース
１７    後輪
１８    ボンネット
１９    ステップ
２０    車体カバー
２１    運転席
２２    操向ハンドル
３０    植付部
３１    苗載台
３１ａ    底板
３３    トップリンク
３４    ロワーリンク
３５    下部ガイドレール
３６    上部ガイドレール
３７    植付伝動ケース
３８    中央均平フロート
３９    左右均平フロート
４０，４０’  支持部材
４０ａ〜ｃ      孔
４０ｄ          長孔
４１    筒体
４１ａ  ナット
４２    接続部材
４３    支柱
４４    苗マット押さえ
４５    板体
４５ａ  ナット
４６    支板
４７    サブ苗マット押さえ
５０    支軸
５１    苗押さえ板
５１ａ    筒部
５２    苗押さえ棒
６０    苗取出板
【図１】
0004512263.tif 000002
【図２】
0004512263.tif 000003
【図３】
0004512263.tif 000004
【図４】
0004512263.tif 000005
【図５】
0004512263.tif 000006